(57)【要約】【課題】記録動作前の回復動作を不要にすること。【解決手段】ラベル２へインクを吐出して記録を行うインクジェット記録装置１は、記録領域内に設けられるノズル１８と、記録領域外に設けられるノズル１９と、を含む記録ヘッド３と、記録ヘッド３のノズル１８及びノズル１９が設けられた領域を覆うキャップ６と、キャップ６の内部に設けられ、キャップ６が記録ヘッド３を覆った際に、ノズル１９のみと所定の間隔をもって対向するブリッジ部材１７と、を有する。【選択図】図９
2019155601.tif 000002
【特許請求の範囲】
【請求項１】
記録媒体へインクを吐出して記録を行うインクジェット記録装置であって、
記録領域内に設けられる記録ノズルと、記録領域外に設けられる非記録ノズルと、を含む記録ヘッドと、
前記記録ヘッドの前記記録ノズルおよび前記非記録ノズルが設けられた領域を覆うキャップと、
前記キャップの内部に設けられ、前記キャップが前記記録ヘッドを覆った際に、前記非記録ノズルのみと所定の間隔をもって対向するブリッジ部材と、
を有することを特徴とするインクジェット記録装置。
【請求項２】
前記キャップが前記記録ヘッドを覆った際の前記非記録ノズルと前記ブリッジ部材との距離は、
前記キャップが前記記録ヘッドを覆った際の前記記録ノズルと前記キャップの内底面との距離よりも短い、
ことを特徴とする請求項１に記載のインクジェット記録装置。
【請求項３】
前記非記録ノズルの吐出口は、
前記記録ノズルの吐出口よりも開口面積が大きい、
ことを特徴とする請求項１または請求項２に記載のインクジェット記録装置。
【請求項４】
前記非記録ノズルの吐出口における開口面積を周長で除した値は、
前記記録ノズルの吐出口における開口面積を周長で除した値よりも大きい、
ことを特徴とする請求項１または請求項２に記載のインクジェット記録装置。
【請求項５】
前記非記録ノズルは、
前記キャップで前記記録ヘッドを覆った状態でインクを吐出する、
ことを特徴とする請求項１から請求項４のいずれか１項に記載のインクジェット記録装置。
【請求項６】
前記非記録ノズルの吐出口の周囲は、
前記記録ノズルの吐出口の周囲よりも親水性が高い、
ことを特徴とする請求項１から請求項５のいずれか１項に記載のインクジェット記録装置。
【請求項７】
周囲の雰囲気温度を検出する検出手段と、
前記検出手段により検出した所定時間における前記雰囲気温度の温度変化が所定温度以上の場合に、前記非記録ノズルから前記ブリッジ部材にインクを吐出させる制御手段と、
を有することを特徴とする請求項１から請求項６のいずれか１項に記載のインクジェット記録装置。
【発明の詳細な説明】
【技術分野】
【０００１】
本発明は、記録媒体へインクを吐出して記録を行うインクジェット記録装置に関する。
【背景技術】
【０００２】
現在、記録ヘッドから紙面にインクを吐出して印字するインクジェットプリンタ等のインクジェット記録装置が広く使用されている。インクジェット記録装置の記録ヘッドには、紙面に対向する面にインクを吐出するためのノズルが設けられている。このようなノズル内のインクは、ノズルのインクの吐出口から露出しているため、ノズルの吐出口が乾燥する状況に置かれた場合に、吐出口付近において水分が蒸発し、増粘して吐出を阻害してしまう。これに対して、従来、印字やクリーニング動作を行わない時に、キャップ部材等でノズルの吐出口を覆うことにより、ノズル内のインクの水分の蒸発を抑制するインクジェット記録装置が知られている。
【０００３】
ここで、印刷後のインクの紙面への定着性を重視する場合に、乾燥固着し易い性質を有するインクを用いることがある。このようなインクを用いるインクジェット記録装置は、乾燥による不吐出を引き起こすリスクがあるため、キャップ部材とノズルとにより囲まれる空間（以下、「キャップ部材内の空間」と記載する）を密閉する構成を有する。
【０００４】
キャップ部材内の空間を密閉したインクジェット記録装置では、周辺の雰囲気温度が低下した際にキャップ部材内の空間の温度が低下して圧力が低下し、ノズル内のインクがノズルから引き出されてノズルの吐出口を覆ってしまう。ノズルの吐出口がインクにより覆われた状態で印刷を行うと、インクで覆われた吐出口はインクを吐出できず、紙面に印字された画像に白抜けを生じる等の画像に不具合を生じる。従って、従来のキャップ部材内の空間を密閉したインクジェット記録装置では、印字前にワイピング等のクリーニング動作を行って、ノズルの吐出口を覆っているインクを除去している。
【０００５】
しかしながら、印字前にクリーニング動作を行うインクジェット記録装置は、ファーストプリントが損なわれ、ユーザーに不利益を及ぼしてしまう。特に、温度変化が大きい環境においてインクの引き出し量が多い場合には、時間を要する回復動作が必要になるため、更にユーザーに不利益を及ぼす。
【０００６】
これに対して、特許文献１は、多孔質の吸収体をキャップに設け、キャッピングしたときに吸収体をノズルに押し付けるインクジェット記録装置を開示している。特許文献１のインクジェット記録装置は、周囲の雰囲気温度の変化によってノズルから吐出される全てのインクを吸収体で吸収するため、印字前のクリーニング動作を不要にすることができる。
【先行技術文献】
【特許文献】
【０００７】
【特許文献１】特開平６−３３６０３２号公報
【発明の概要】
【発明が解決しようとする課題】
【０００８】
しかしながら、特許文献１においては、ノズルの吐出口のインクと大気との境界面であるメニスカスが破壊された状態になり、記録動作前に空吐出を行う等の破壊されたメニスカスを復帰させるための回復動作が必要になるという課題を有する。
【０００９】
本発明の目的は、記録動作前の回復動作を不要にすることができるインクジェット記録装置を提供することである。
【課題を解決するための手段】
【００１０】
本発明のインクジェット記録装置は、記録媒体へインクを吐出して記録を行うインクジェット記録装置であって、記録領域内に設けられる記録ノズルと、記録領域外に設けられる非記録ノズルと、を含む記録ヘッドと、前記記録ヘッドの前記記録ノズルおよび前記非記録ノズルが設けられた領域を覆うキャップと、前記キャップの内部に設けられ、前記キャップが前記記録ヘッドを覆った際に、前記非記録ノズルのみと所定の間隔をもって対向するブリッジ部材と、を有することを特徴とする。
【発明の効果】
【００１１】
本発明によれば、記録動作前の回復動作を不要にすることができる。
【図面の簡単な説明】
【００１２】
【図１】本発明の実施の形態１に係るインクジェット記録装置の模式図である。
【図２】本発明の実施の形態１に係るインクジェット記録装置の構成を示すブロック図である。
【図３】本発明の実施の形態１に係る記録ヘッドの底面図である。
【図４】図３のＢ−Ｂ断面の模式図である。
【図５】本発明の実施の形態１に係る印字に使用するノズルの底面図である。
【図６】本発明の実施の形態１に係る印字に使用しないノズルの底面図である。
【図７】本発明の実施の形態１に係るキャップの平面図である。
【図８】図７のＡ−Ａ断面図である。
【図９】本発明の実施の形態１に係るキャッピングされた状態の記録ヘッドの断面の模式図である。
【図１０】本発明の実施の形態１に係るインクジェット記録装置におけるインクの挙動を示す図である。
【図１１】ブリッジ部材を設けない場合の雰囲気温度変化とキャップの内部の圧力との関係を示す図である。
【図１２】本発明の実施の形態１に係るブリッジ部材を設けた場合の雰囲気温度変化とキャップの内部の圧力との関係を示す図である。
【図１３】本発明の実施の形態２に係るインクジェット記録装置の構成を示すブロック図である。
【図１４】本発明の実施の形態２に係るインクジェット記録装置の動作を示すフロー図である。
【図１５】本発明の実施の形態２に係るインクジェット記録装置におけるインクの挙動を示す図である。
【図１６】本発明の実施の形態２に係るインクジェット記録装置における雰囲気温度の推移を示す図である。
【発明を実施するための形態】
【００１３】
以下、本発明の実施の形態について図面を参照して詳細に説明する。
【００１４】
（実施の形態１）
＜インクジェット記録装置の構成＞
本発明の実施の形態１に係るインクジェット記録装置１の構成について、図１及び図２を参照しながら、詳細に説明する。
【００１５】
インクジェット記録装置１は、記録媒体としてのラベル２にインク滴を吐出して画像を記録する記録装置であり、記録ヘッド３と、ワイパーブレード５と、キャップ６と、吸引ポンプ７と、制御部９と、搬送部２７と、エンジン部２８と、を有している。
【００１６】
記録ヘッド３は、搬送部２７により搬送されてきたラベル２にインクを吐出してラベル２に印字する。
【００１７】
ワイパーブレード５は、記録ヘッド３のノズル面を拭くことにより、記録ヘッド３に付着した異物や記録ヘッド３の内部の気泡等の画像不良の原因を取り除く。
【００１８】
キャップ６は、記録ヘッド３に対して当接可能又は離間可能になっている。キャップ６は、印字しない場合に記録ヘッド３のノズルを覆ってノズルの乾燥を防止する機能を有する。キャップ６は、クリーニング時に記録ヘッド３のノズルを覆うと共に吸引ポンプ７に接続し、吸引ポンプ７の吸引圧力をノズルに伝えるジョイントの機能を有する。なお、キャップ６の構成の詳細については、後述する。
【００１９】
吸引ポンプ７は、ポンプモータ５３が動作することにより駆動してキャップ６内に負圧を発生させることにより、記録ヘッド３のノズル内の微細なゴミ又は粘度の高くなったインク等を吸い出す。
【００２０】
制御部９は、ホストコンピュータ８から入力された所定の命令に基づいて、インクジェット記録装置１の全体の動作を制御する。具体的には、制御部９は、ＣＰＵ９１と、プログラムメモリ９２と、ワーキングメモリ９３と、データメモリ９４と、インターフェース９５と、記録制御回路９６と、出力ポート９７と、モータドライバ９８と、を備えている。
【００２１】
ＣＰＵ９１は、プログラムメモリ９２に格納されている制御プログラムを実行することにより、データメモリ９４に格納されている各種のデータに基づいて、ワーキングメモリ９３を用いながら制御部９の全体の動作を制御する。ＣＰＵ９１は、ホストコンピュータ８からインターフェース９５を介して入力される印刷命令又はクリーニング動作命令に基づいて、記録制御回路９６又はモータドライバ９８の動作を制御する。
【００２２】
プログラムメモリ９２は、制御プログラムを予め格納している。
【００２３】
ワーキングメモリ９３は、後述のインク吐出処理の実行により得られた一時的なデータ等を記憶する。
【００２４】
データメモリ９４は、各種のデータを格納している。
【００２５】
インターフェース９５は、ホストコンピュータ８に接続する。
【００２６】
記録制御回路９６は、ＣＰＵ９１の制御により動作して、記録ヘッド３を駆動させる。
【００２７】
モータドライバ９８は、出力ポート９７を介してＣＰＵ９１に接続し、ＣＰＵ９１の制御により動作して、キャリッジモータ５１、紙搬送モータ５２又はポンプモータ５３を駆動させる。キャリッジモータ５１は、記録ヘッド３が着脱可能に装着された図示しないキャリッジを駆動させる。紙搬送モータ５２は、搬送部２７を駆動させる。ポンプモータ５３は、吸引ポンプ７を駆動させる。
【００２８】
搬送部２７は、紙搬送モータ５２が動作することにより駆動してロール状に巻かれたラベル２を引き出しながら搬送する。
【００２９】
＜記録ヘッドの構成＞
本発明の実施の形態１に係る記録ヘッド３の構成について、図３から図６を参照しながら、詳細に説明する。
【００３０】
記録ヘッド３は、ノズル１８と、ノズル１９と、ノズル面２２と、ノズル面２３と、液室３３と、を有している。記録ヘッド３には、インクタンク４が着脱自在に接続される。
【００３１】
ノズル１８は、記録領域内に設けられており、印字に使用される記録ノズルである。ノズル１８は、液室３３から供給されるインクを吐出する吐出口としての開口部１８ａを備えている。ここで、記録領域は、ラベル２の通過範囲内の領域である。
【００３２】
ノズル１９は、非記録領域内（記録領域外）に設けられており、印字に使用されない非記録ノズルである。ノズル１９は、液室３３から供給されるインクを吐出する吐出口としての開口部１９ａを備えている。ここで、非記録領域は、ラベル２の通過範囲外の領域である。
【００３３】
開口部１９ａは、図５及び図６に示すように、開口部１８ａよりも開口面積が大きい。なお、開口部１９ａの開口面積を開口部１９ａの周長で除した値が開口部１８ａの開口面積を開口部１８ａの周長で除した値よりも大きくなるように、開口部１８ａ及び開口部１９ａを形成してもよい。
【００３４】
ノズル面２２は、開口部１８ａの周囲に設けられている。
【００３５】
ノズル面２３は、開口部１９ａの周囲に設けられている。
【００３６】
ノズル面２３は、ノズル面２２に比べて親水性が高くなるように形成されている。具体的には、ノズル面２２に撥水処理を施すと共にノズル面２３に親水処理を施す。
【００３７】
液室３３は、インクタンク４に接続すると共に、ノズル１８及びノズル１９に接続している。液室３３は、インクタンク４から供給されるインクをノズル１８及びノズル１９に供給する。
【００３８】
＜キャップの構成＞
本発明の実施の形態１に係るキャップ６の構成について、図７から図９を参照しながら、詳細に説明する。
【００３９】
キャップ６は、記録ヘッド３のノズル１８及びノズル１９が設けられた領域を覆う。キャップ６は、吸収体１６と、ブリッジ部材１７と、ベース部３０と、リップ部３１と、を有している。
【００４０】
吸収体１６は、多孔質の材料により形成されており、キャップ６の内部に設けられている。吸収体１６は、印字前の予備吐出動作等において記録ヘッド３のノズル１８及びノズル１９から吐出されたインクを吸収及び保持する。吸収体１６は、インクを保持することにより、ノズル１８及びノズル１９をキャップ６により覆ったキャッピング状態において、キャップ６と記録ヘッド３との間に形成された空間Ｓを保湿する機能を有する。
【００４１】
ブリッジ部材１７は、ベース部３０から内部側方に突出してキャップ６の内部に設けられている。ブリッジ部材１７は、図９に示すように、キャッピング状態においてノズル１９の直下に配置されて、ノズル１９のみと所定の間隔をもって対向する。この際に、ブリッジ部材１７とノズル１９とは、インクによりブリッジを形成可能な距離を設けて対向している。インクによりブリッジを形成可能な距離は、ここでは０．２ｍｍから０．４ｍｍを例示する。
【００４２】
ブリッジ部材１７は、キャッピング状態におけるブリッジ部材１７とノズル１９との距離が、キャッピング状態におけるノズル１８とキャップ６の内底面との距離よりも短くなるように設けられている。ブリッジ部材１７には、ブリッジ部材１７を上下方向に貫通するスリット３２が設けられている。スリット３２は、ブリッジ部材１７のリップ部３１との接続部側に設けられている。
【００４３】
ベース部３０は、硬質のプラスチック部材により形成されており、キャップ６の外郭を構成している。
【００４４】
リップ部３１は、ゴム等の所定の弾性力を有する材料により形成されており、ベース部３０の上方に設けられている。リップ部３１は、記録ヘッド３のノズル面２２及びノズル面２３に接触して空間Ｓを外部から密閉する。
【００４５】
空間Ｓは、流路１４を介して吸引ポンプ７に連通している。空間Ｓ及び流路１４は、吸引ポンプ７の静止時において密閉された空間となる。
【００４６】
＜インク吐出処理＞
本発明の実施の形態１に係るインク吐出処理について、図１０から図１２を参照しながら、詳細に説明する。
【００４７】
図１０において、図１０（ａ）は、印字動作終了直後のキャッピング状態を示している。図１０（ｂ）は、図１０（ａ）に示すキャッピング状態よりも外部の雰囲気温度が低下した状態を示している。図１０（ｃ）は、ノズル１９とブリッジ部材１７との間にインク１５によりブリッジが形成された状態を示している。図１０（ｄ）は、印字を開始した状態を示している。
【００４８】
図１０（ａ）に示すキャッピング状態よりも空間Ｓの外部の雰囲気温度が低下した図１０（ｂ）に示す状態では、外部から密閉されている空間Ｓの雰囲気温度も低下して空間Ｓの空気が収縮することにより、空間Ｓの圧力が低下する。例えば、空間Ｓの外部の雰囲気温度が印字終了時の２５℃から１５℃まで低下した場合に、空間Ｓの圧力は−３ｋＰａ程度まで下がる。
【００４９】
ノズル１９の内部のインク１５は、空間Ｓの圧力の低下に伴ってノズル１９の外部に染み出して、ノズル１９を覆う。この際に、ノズル１９は、開口部１９ａの開口面積が開口部１８ａの開口面積よりも大きいため、ノズル１８に比べてインク１５が染み出し易い。
【００５０】
具体的には、図１１に示すように、ノズル１８の内部のインク１５は、空間Ｓの圧力であるキャップ６内の圧力が閾値３４の−２．０ｋＰａ未満に低下するまでノズル１８から外部に染み出さない。一方、ノズル１９の内部のインク１５は、キャップ６内の圧力が閾値３５の−０．５ｋＰａまで低下した際にノズル１９から外部に染み出す。これより、ノズル１９の内部のインク１５は、空間Ｓの外部の雰囲気温度が−２．４℃まで低下した際にノズル１９から外部に染み出す。
【００５１】
ノズル１９から染み出したインク１５は、ノズル１９を覆うと共に、図１０（ｃ）に示すように、ブリッジ部材１７に到達してノズル１９とブリッジ部材１７との間にブリッジを形成する。ノズル１９とブリッジ部材１７との間にブリッジを形成したインク１５は、やがてスリット３２を介して吸収体１６に流れ落ちて吸収体１６に吸収されて保持される。そして、吸収体１６に保持されたインク１５は、吸引ポンプ７により流路１４を介して吸引されて廃インク回収タンク１０へ送り出されることにより回収される。
【００５２】
また、空間Ｓの外部の雰囲気温度が低下してノズル１９からインク１５が染み出した後であって空間Ｓの外部の雰囲気温度が更に低下した場合の空間Ｓの圧力は、ノズル１９からインク１５が染み出すことにより更に低下することはない。従って、ノズル１９からインク１５が染み出した後の空間Ｓの圧力は、一定値で安定する。
【００５３】
具体的には、空間Ｓの外部の雰囲気温度が−２．４℃まで低下してノズル１９から外部にインク１５が染み出した後に、空間Ｓの外部の雰囲気温度が更に低下した場合の空間Ｓの圧力は、ノズル１９からインク１５が染み出すことにより更に低下することはない。従って、ノズル１９から外部にインク１５が染み出した後の空間Ｓの圧力は、図１２に示すように、−２．０ｋＰａより下がることはなく、一定の−２．０ｋＰａで安定する。
【００５４】
ノズル１９の内部のインク１５は、ノズル１９から一定量のインク１５が染み出して空間Ｓの圧力と記録ヘッド３の内部の圧力とが平衡状態になった際に流出が止まる。そして、ノズル１８及びノズル１９は、インク１５が染み出さない状態で安定する。
【００５５】
このような安定した状態で印字を開始した際に、記録領域Ｂ（図１０（ｄ）参照）に配置される全てのノズル１８は、図１０（ｄ）に示すように、インク１５で覆われていないため、ラベル２に対してインク１５を吐出することができる。従って、画像上に白抜けを生じることはない。一方、ノズル１９は、インク１５で覆われることとなるが、非記録領域Ｃ（図１０（ｄ）参照）に配置されているため、画像の記録には全く影響しない。
【００５６】
このように、本実施の形態では、キャップ６の内部に設けられると共に、キャップ６が記録ヘッド３を覆った際に、ノズル１９のみと所定の間隔をもって対向するブリッジ部材１７を有する。これにより、記録動作前の回復動作を不要にすることができると共に、キャッピング後の環境変化による画像の不具合を防ぐことができる。また、空間Ｓの外部の雰囲気温度が低下した場合であっても、印字領域内に配置されたノズル１８からのインク１５の染み出しを抑制することができ、画像不良を防ぐことができる。
【００５７】
（実施の形態２）
上記の実施の形態１のように印字領域のノズル面２２に撥水処理を施した場合には、インクの性質によっては不具合を生じ易くなる場合がある。例えば、顔料インクを使用する場合には、撥水処理されたノズル面２２に付着した顔料インクが球状になって吐出された顔料インク滴に接触して、顔料インクの吐出軌道をずれさせ、画像上にヨレを生じさせることがある。従って、この場合には、吐出されたインクに対するノズル面２２に付着したインクの接触を防ぐために、ノズル面２２に親水処理を施してノズル面２２に付着したインクを平面に近い状態にすることが好ましい。
【００５８】
このようにノズル面２２に撥水処理を施さない場合には、ノズル１９からインクを染み出し易くして、ノズル１９とブリッジ部材１７との間における、ノズル１９から吐出されるインクによるブリッジの形成を促進させる必要がある。本実施の形態は、ノズル１９から吐出されるインクによるブリッジの形成を促進させることを特徴とするものである。
【００５９】
＜インクジェット記録装置の構成＞
本発明の実施の形態２に係るインクジェット記録装置１００の構成について、図１３を参照しながら、詳細に説明する。
【００６０】
なお、図１３において図２と同一構成である部分については同一符号を付して、その説明を省略する。また、インクジェット記録装置１００は図１と同一構成を有しているため、図１に相当する構成の説明を省略する。
【００６１】
インクジェット記録装置１００は、ラベル２にインク滴を吐出して画像を記録する記録装置であり、ノズル１８の周囲のノズル面２２に親水処理が施されている。具体的には、インクジェット記録装置１００は、記録ヘッド３と、ワイパーブレード５と、キャップ６と、吸引ポンプ７と、搬送部２７と、エンジン部２８と、制御部１０９と、温度センサ１１３と、を有している。
【００６２】
モータドライバ９８は、出力ポート９７を介してＣＰＵ１１０に接続し、ＣＰＵ１１０の制御により動作して、キャリッジモータ５１、紙搬送モータ５２又はポンプモータ５３を駆動させる。
【００６３】
制御手段としての制御部１０９は、ホストコンピュータ８から入力された所定の命令に基づいて、インクジェット記録装置１００の全体の動作を制御する。具体的には、制御部１０９は、ＣＰＵ９１と、プログラムメモリ９２と、ワーキングメモリ９３と、インターフェース９５と、記録制御回路９６と、出力ポート９７と、モータドライバ９８と、を備えている。また、制御部１０９は、ＣＰＵ１１０と、データメモリ１１１と、入力ポート１１２と、を備えている。
【００６４】
ＣＰＵ１１０は、プログラムメモリ９２に格納されている制御プログラムを実行することにより、データメモリ１１１に格納されている各種のデータに基づいて、ワーキングメモリ９３を用いながら制御部１０９の全体の動作を制御する。
【００６５】
具体的には、ＣＰＵ１１０は、ホストコンピュータ８からインターフェース９５を介して入力される印刷命令又はクリーニング動作命令に基づいて、記録制御回路９６又はモータドライバ９８の動作を制御する。ＣＰＵ１１０は、温度センサ１１３から入力ポート１１２を介して入力されるインクジェット記録装置１００の周囲の雰囲気温度の検出値を示す電気信号に基づいて、所定時間における雰囲気温度の推移を示す温度履歴データを作成する。ＣＰＵ１１０は、作成した温度履歴データをデータメモリ１１１に格納する。ＣＰＵ１１０は、データメモリ１１１に格納した温度履歴データを参照して、記録制御回路９６又はモータドライバ９８の動作を制御する。
【００６６】
データメモリ１１１は、温度履歴データを含む各種のデータを格納する。
【００６７】
検出手段としての温度センサ１１３は、インクジェット記録装置１００の周囲の雰囲気温度を検出し、その検出値を示す電気信号をＣＰＵ１１０に出力する。
【００６８】
＜インクジェット記録装置の動作＞
本発明の実施の形態２に係るインクジェット記録装置１００の動作について、図１４から図１６を参照しながら、詳細に説明する。
【００６９】
図１５において、図１５（ａ）は、ノズル１９からインクを吐出させている状態を示している。図１５（ｂ）は、ノズル１９とブリッジ部材１７との間にインク溜まり３６が形成された状態を示している。図１５（ｃ）は、図１５（ｂ）に示す状態よりも空間Ｓの外部の雰囲気温度が低下した状態を示している。なお、図１５（ｃ）の後には、図１５では図示を省略するが図１０（ｃ）の状態を経て図１０（ｄ）の状態になる。
【００７０】
なお、インクジェット記録装置１００は、図１４に示す動作の開始前に、温度センサ１１３で検出した雰囲気温度に基づいて、所定時間における雰囲気温度の推移を示す温度履歴データを作成してデータメモリ１１１に格納する。
【００７１】
まず、制御部９は、ホストコンピュータ８からシャットダウン命令を受信する（Ｓ１）。
【００７２】
次に、制御部９は、データメモリに格納されている所定時間の温度履歴情報を参照する（Ｓ２）。所定時間は、ここでは２４時間を例示する。
【００７３】
次に、制御部９は、温度履歴情報における最高温度と最低温度とを検出する（Ｓ３）。
【００７４】
次に、制御部９は、検出した最高温度と最低温度との温度差が所定温度以上であるか否かを判定する（Ｓ４）。所定温度は、ここでは５℃を例示する。
【００７５】
制御部９は、最高温度と最低温度との温度差が所定温度以上である場合に（Ｓ４：Ｙｅｓ）、ノズル１９から吐出されるインク１５によりノズル１９とブリッジ部材１７との間にインク１５によりブリッジを形成する必要があると判断する。そして、制御部９は、非記録ノズルであるノズル１９からインク１５を吐出させる（Ｓ５）。具体的には、制御部９は、最高温度と最低温度との温度差（最高温度−最低温度）が５℃以上である図１６（ａ）の場合に、図１５（ａ）に示すように、ノズル１９からブリッジ部材１７に対してインク１５を吐出させる。
【００７６】
ノズル１９からブリッジ部材１７に対してインク１５を吐出させることにより、図１５（ｂ）に示すように、ノズル１９とブリッジ部材１７との間にインク溜まり３６が形成され、ブリッジ部材１７を予め濡らすことができる。従って、図１５（ｃ）に示すようにノズル１９からインク１５が染み出した際に、ノズル１９から染み出したインク１５がインク溜まり３６と結合して、ノズル１９とブリッジ部材１７との間にインク１５によるブリッジを形成し易くすることができる。
【００７７】
これにより、ノズル面２２を親水処理して顔料インク等を使用可能にすることができると共に、ノズル面２２を親水処理した場合であっても、ノズル１８からインク１５を正常に吐出させることができ、画像上の不具合を防止することができる。また、最大温度と最小温度とが所定温度差以上の場合に、ノズル１９からブリッジ部材１７に向かってインク１５を吐出するので、適切なタイミングでインク溜まり３６を形成することができる。
【００７８】
ブリッジを形成したインク１５は、ブリッジ部材１７のスリット３２を通過して、吸収体１６に回収される。
【００７９】
印字を開始した際に、記録領域Ｂに配置される全てのノズル１８は、インク１５で覆われていないため、ラベル２に対してインク１５を吐出することができる。従って、画像上に白抜けを生じることはない。一方、ノズル１９は、インク１５で覆われることとなるが、非記録領域Ｃに配置されているため、画像の記録には全く影響しない。
【００８０】
次に、制御部９は、シャットダウンし（Ｓ６）、動作を終了する。
【００８１】
一方、制御部９は、最高温度と最低温度との温度差が所定温度未満である場合に（Ｓ４：Ｎｏ）、ステップＳ５の処理をスキップしてステップＳ６の処理に進む。具体的には、制御部９は、最高温度と最低温度との温度差が５℃未満である図１６（ｂ）の場合に、ノズル１９からインク１５を吐出させない。最大温度と最小温度との温度差が所定温度未満の場合には、ノズル１９からブリッジ部材１７に向かってインク１５を吐出しないので、インク１５の消費量を抑制することができる。
【００８２】
このように、本実施の形態では、印字動作を行わないときにブリッジ部材１７に対してノズル１９からインク１５を吐出して、ノズル１９とブリッジ部材１７との間にインク１５を溜めることによりブリッジを形成する。これにより、上記実施の形態１の効果に加えて、ノズル１９とブリッジ部材１７との間におけるインク１５によるブリッジの形成を促進して、ノズル１９からインク１５を染み出し易くすることができる。
【００８３】
なお、本実施の形態において、ノズル面２２を親水処理したが、ノズル面２２を親水処理しなくてもよい。ノズル面２２を親水処理しない場合であっても、ノズル１９とブリッジ部材１７との間にインク溜まり３６を形成することにより、ノズル１９とブリッジ部材１７との間にインク１５によりブリッジを形成し易くすることができる。
【００８４】
本発明は上記実施の形態に限定されるものではなく、その要旨を逸脱しない範囲で種々変形可能であることは言うまでもない。
【００８５】
具体的には、上記実施の形態１及び実施の形態２において、雰囲気温度の変化以外の環境変化として、周囲の気圧の変化によって空間Ｓの圧力が変化する場合についても適用することができる。
【符号の説明】
【００８６】
１  インクジェット記録装置
２  ラベル
３  記録ヘッド
４  インクタンク
５  ワイパーブレード
６  キャップ
７  吸引ポンプ
８  ホストコンピュータ
９  制御部
１０  廃インク回収タンク
１４  流路
１５  インク
１６  吸収体
１７  ブリッジ部材
１８  ノズル
１８ａ  開口部
１９  ノズル
１９ａ  開口部
２２  ノズル面
２３  ノズル面
２７  搬送部
３０  ベース部
３１  リップ部
３３  液室
５１  キャリッジモータ
５２  紙搬送モータ
５３  ポンプモータ
９１  ＣＰＵ
９２  プログラムメモリ
９３  ワーキングメモリ
９４  データメモリ
９５  インターフェース
９６  記録制御回路
９７  出力ポート
９８  モータドライバ
１００  イクジェット記録装置
１０９  制御部
１１１  データメモリ
１１２  入力ポート
１１３  温度センサ
【図１】
2019155601.tif 000003
【図２】
2019155601.tif 000004
【図３】
2019155601.tif 000005
【図４】
2019155601.tif 000006
【図５】
2019155601.tif 000007
【図６】
2019155601.tif 000008
【図７】
2019155601.tif 000009
【図８】
2019155601.tif 000010
【図９】
2019155601.tif 000011
【図１０】
2019155601.tif 000012
【図１１】
2019155601.tif 000013
【図１２】
2019155601.tif 000014
【図１３】
2019155601.tif 000015
【図１４】
2019155601.tif 000016
【図１５】
2019155601.tif 000017
【図１６】
2019155601.tif 000018